(57)【要約】【課題】コンタクトレンズの着脱時に鏡でコンタクトレンズの位置を正確に確認できるコンタクトレンズ着脱具を提供する。【解決手段】コンタクトレンズ着脱具１０の着脱具本体１２は中央部１４で折り曲げられている。第１把持片１６には第１把持片支持突起２０が一体形成され、第２把持片１８にも第２把持片支持突起２２が一体形成されている。前記第１把持片１６と第２把持片１８には綿棒取付体２４が取り付けられている。前記第１把持片１６と第２把持片１８の綿棒取付体２４には綿棒３０が着脱可能に取り付けられている。綿棒３０の棒部３２の両端には綿を巻いて形成されたコンタクトレンズ挟持部３４が設けられている。【選択図】図１
2010032772.tif 000002
【特許請求の範囲】
【請求項１】
第１把持片と第２把持片が対向して形成された着脱具本体と、前記第１把持片と前記第２把持片にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、を有してなることを特徴とするコンタクトレンズ着脱具。
【請求項２】
第１把持片と第２把持片が対向して形成された着脱具本体と、前記第１把持片と前記第２把持片にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴とするコンタクトレンズ着脱具。
【請求項３】
第１把持片と第２把持片が対向して形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴とするコンタクトレンズ着脱具。
【請求項４】
第１把持片と第２把持片が対向して形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に綿を巻いて形成されると共にコンタクトレンズを直接挟持することができるコンタクトレンズ挟持部と、を有してなることを特徴とするコンタクトレンズ着脱具。
【請求項５】
第１把持片と第２把持片が対向して形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴とするコンタクトレンズ着脱具。
【請求項６】
第１把持片と第２把持片が対向して形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に綿を巻いて形成されると共にコンタクトレンズを直接挟持することができるコンタクトレンズ挟持部と、を有してなることを特徴とするコンタクトレンズ着脱具。
【請求項７】
前記コンタクトレンズ挟持体を綿棒で形成したことを特徴とする請求項１、請求項２、請求項３、請求項４、請求項５、請求項６記載のコンタクトレンズ着脱具。
【発明の詳細な説明】
【技術分野】
【０００１】
本発明は、コンタクトレンズを目に着脱する時に使用されるコンタクトレンズ着脱具に関する。
【背景技術】
【０００２】
コンタクトレンズを目に着脱する場合は、二本の指先でコンタクトレンズを挟んで行っている。
ところで、近年女性の間でネールアートが大流行しており、長い付け爪をする人が増大している。
この場合、長い付け爪を付けた指でコンタクトレンズを挟むことは可能であるが、長い付け爪をした指でコンタクトレンズを挟んで目に着脱する場合、長い付け爪の先端が目に当たったり瞼等に当たったりして目や瞼等に傷を付けるおそれがある。
また、コンタクトレンズを吸着してコンタクトレンズを目に着脱することができるスポイト式のコンタクトレンズ着脱具が提案されている（特許文献１）。
従って、このタイプのコンタクトレンズ着脱具を使用すれば長い付け爪をしていてもコンタクトレンズ着脱時に付け爪の先端が目や瞼等に当たるおそれはない。
しかし、このタイプのコンタクトレンズ着脱具はコンタクトレンズの中央部をコンタクトレンズ着脱具の吸着部で吸着してコンタクトレンズを目に着脱するため鏡でコンタクトレンズの位置等を確認する場合に前記吸着部が目の瞳部と対応してしまい鏡でコンタクトレンズの位置を確認し難いという不具合が有る。
【特許文献１】特開２０００−２４５７６５
【発明の開示】
【発明が解決しようとする課題】
【０００３】
本発明は、上記事実に鑑みなされたものであり、長い付け爪をしていても安心してコンタクトレンズを着脱できると共にコンタクトレンズの着脱時に鏡でコンタクトレンズの位置を正確に確認することができるコンタクトレンズ着脱具を提供するものである。
【課題を解決するための手段】
【０００４】
請求項１の発明は、第１把持片と第２把持片が対向して形成された着脱具本体と、前記第１把持片と前記第２把持片にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、を有してなることを特徴としている。
請求項２の発明は、第１把持片と第２把持片が対向して形成された着脱具本体と、前記第１把持片と前記第２把持片にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴としている。
請求項３の発明は、第１把持片と第２把持片が対向して形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴としている。
請求項４の発明は、第１把持片と第２把持片が対向して形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に綿を巻いて形成されると共にコンタクトレンズを直接挟持することができるコンタクトレンズ挟持部と、を有してなることを特徴としている。
請求項５の発明は、第１把持片と第２把持片が対向して形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に設けられてコンタクトレンズを直接挟持することができるコンタクトレンズ挟持部と、を有してなることを特徴としている。
請求項６の発明は、第１把持片と第２把持片が対向して形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定されたコンタクトレンズ挟持体取付体と、前記第１把持片のコンタクトレンズ挟持体取付体と前記第２把持片のコンタクトレンズ挟持体取付体にそれぞれ着脱可能に取り付けられたコンタクトレンズ挟持体と、このコンタクトレンズ挟持体の少なくとも一端に綿を巻いて形成されると共にコンタクトレンズを直接挟持することができるコンタクトレンズ挟持部と、を有してなることを特徴としている。
請求項７の発明は、前記コンタクトレンズ挟持体を綿棒で形成したことを特徴としている。
【発明の効果】
【０００５】
本発明は、長い付け爪をしていても付け爪が目や瞼等に当たるおそれがないので安心してコンタクトレンズを目に着脱することができるという優れた効果を有する。
本発明は、コンタクトレンズの両側部を挟んで目にコンタクトレンズを着脱するので鏡でコンタクトレンズの位置を確認しながらコンタクトレンズを着脱することができるという優れた効果を有する。
【発明を実施するための最良の形態】
【０００６】
発明を実施するために最良の形態の例として以下のような実施例を示す。
【実施例１】
【０００７】
図１〜図５には本発明に係わるコンタクトレンズ着脱具の第１実施例が示されている。
図２〜図４に示されるように、本発明のコンタクトレンズ着脱具１０の着脱具本体１２は金属で形成され中央部１４で略Ｕ字状に折り曲げられている。これにより、前記着脱具本体１２には第１把持片１６と第２把持片１８が対向して形成され、着脱具本体１２は略Ｖ字状になっている（図２参照）。なお、前記第１把持片１６と第２把持片１８を指で把持すると第１把持片１６の先端１６Ａと第２把持片１８の先端１８Ａは互いに接近するように形成されている（図３参照）。
図４及び図５に示されるように、前記第１把持片１６の先端部には第１把持片支持突起２０，２０が一体形成されている。また、この第２把持片１８の先端部にも第２把持片支持突起２２，２２が一体形成されている。
図２〜図４に示されるように、前記第１把持片１６の内側面と第２把持片１８の内側面にはコンタクトレンズ挟持体取付体としてのコンタクトレンズ挟持体固定具２４が２個づつ取り付けられている。これらコンタクトレンズ挟持体固定具２４は弾性を有する合成樹脂材で円筒状に形成されている。また、コンタクトレンズ挟持体固定具２４の側面にはスリット２６が形成されている。
前記第１把持片１６のコンタクトレンズ挟持体固定具２４，２４と第２把持片１８のコンタクトレンズ挟持体固定具２４，２４にはそれぞれ綿棒を利用したコンタクトレンズ挟持体３０が着脱可能に１本づつ取り付けられている。このコンタクトレンズ挟持体３０の棒部３２はコンタクトレンズ挟持体固定具２４のスリット２６を介して円筒状のコンタクトレンズ挟持体固定具２４に着脱されるようになっている。
このコンタクトレンズ挟持体３０の棒部３２の外径寸法は前記コンタクトレンズ挟持体固定具２４の内径寸法より僅かに小さく設定され、棒部３２はフィットして前記コンタクトレンズ挟持体固定具２４に嵌められるようになっている。
前記棒部３２の両端には脱脂綿を巻いて形成されたコンタクトレンズ挟持部３４が設けられている。
従って、図１に示されるように、コンタクトレンズ１の両側部を前記コンタクトレンズ挟持部３４とコンタクトレンズ挟持部３４で直接挟むことができるようにようになっている。
【０００８】
次に、第１実施例のコンタクトレンズ着脱具１０の作用について説明する。
実施例のコンタクトレンズ着脱具１０を使用してコンタクトレンズ１を目に装着する場合は、コンタクトレンズ着脱具１０を斜めにして第１把持片１６と第２把持片１８を把持してコンタクトレンズ挟持部３４とコンタクトレンズ挟持部３４でコンタクトレンズ１を両側から挟む（図１参照）。
そして、コンタクトレンズ１を挟んだ状態でコンタクトレンズ１を目に接近させてコンタクトレンズ１を目に装着する。
従って、コンタクトレンズ１を装着する場合はコンタクトレンズ着脱具１０を斜めにしてコンタクトレンズ１の両側部を挟むので目の瞳部は第１把持片１６と第２把持片１８の間に位置するためコンタクトレンズ着脱具１０と対応しない。従って、コンタクトレンズ１を目に装着する場合にコンタクトレンズ着脱具１０に邪魔されること無く鏡でコンタクトレンズ１の位置を正確に確認しながらコンタクトレンズ１を目に装着することができる。
目に装着されているコンタクトレンズ１を取り外す場合もコンタクトレンズ着脱具１０を斜めにした状態でコンタクトレンズ１の両側部を挟むと目の瞳部とコンタクトレンズ着脱具１０は対応しない。従って、コンタクトレンズ１を目から取り外す場合もコンタクトレンズ着脱具１０に邪魔されること無く鏡でコンタクトレンズ１の位置を正確に確認しながらコンタクトレンズ１を目から取り外すことができる。
また、コンタクトレンズ１を装着する者が長い付け爪をしていてもコンタクトレンズ１の着脱は長い付け爪よりも先に目に接近するコンタクトレンズ着脱具１０で行うため付け爪が目や瞼等に当たるおそれは無いので安心してコンタクトレンズ１を着脱することができる。
なお、コンタクトレンズ着脱具１０の第１把持片１６には第１把持片支持突起２０，２０が一体形成され、第２把持片１８には第２把持片支持突起２２，２２が一体形成されている。このため、図５に示されるように、コンタクトレンズ着脱具１０をテーブル２等に置く場合にコンタクトレンズ挟持体３０のコンタクトレンズ挟持部３４はテーブル２等にに当接しないので衛生的である。
また、実施例のようにコンタクトレンズ挟持体３０を市販の綿棒で利用すれば前記コンタクトレンズ挟持体３０は別途に形成しなくてもよいので便利である。
なお、コンタクトレンズ１を着脱する専用の道具である前記コンタクトレンズ着脱具１０を使用してコンタクトレンズ１を着脱することは指でコンタクトレンズ１を挟んで行うよりも衛生的であるので付け爪をしていない者にとっても有益である。
【０００９】
図６及び図７には第２実施例のコンタクトレンズ着脱具が示されている。なお、第１実施例のコンタクトレンズ着脱具１０と同一の構成は同一の符号を用いてその説明を省略する。
第２実施例のコンタクトレンズ着脱具４０はコンタクトレンズ挟持体固定具４２の形状が第１実施例のコンタクトレンズ着脱具１０のコンタクトレンズ挟持体固定具２４と相違している点だけが第１実施例のコンタクトレンズ着脱具１０と相違している。
図６に示されるように、コンタクトレンズ着脱具４０の第１把持片１６の内側面と第２把持片１８の内側面にはコンタクトレンズ挟持体取付体としてのコンタクトレンズ挟持体固定具４２が取り付けられている。
図７に示されるように、このコンタクトレンズ挟持体固定具４２の第１固定片４４と第２固定片４６を備え縦断面略Ｖ字状に形成されている。この第１固定片４４の内側面には挟持突起４４Ａが鋸刃状に形成され、第２固定片４６の内側面にも挟持突起４６Ａが鋸刃状に形成されている。
従って、前記コンタクトレンズ挟持体固定具４２でコンタクトレンズ挟持体３０の棒部３２を挟むと鋸刃状の挟持突起４４Ａと挟持突起４６Ａによってコンタクトレンズ挟持体３０の棒部３２は確実に挟まれるのでコンタクトレンズ挟持体３０が不用意に前後方向にスライドしたりすることを確実に防止することができる。
なお、他の構成及び作用、効果は第１実施例のコンタクトレンズ着脱具１０と同一であるので、その説明は省略する。
【００１０】
図８には第２実施例のコンタクトレンズ着脱具４０の変形例が示されている。この変形例では前記コンタクトレンズ着脱具４０のコンタクトレンズ挟持体固定具４２の縦断面が略ハ字状になるように形成されている。
【００１１】
図９及び図１０には第３実施例のコンタクトレンズ着脱具が示されている。なお、第１実施例のコンタクトレンズ着脱具１０と同一の構成は同一の符号を用いてその説明を省略する。
図９に示されるように、第３実施例のコンタクトレンズ着脱具５０の第１把持片１６の外側面と第２把持片１８の外側面にはコンタクトレンズ挟持体取付体としてのコンタクトレンズ挟持体押圧片５２が２個づつ取り付けられている。これらコンタクトレンズ挟持体押圧片５２は弾性を有する合成樹脂材や金属で平面視矩形状に形成されている。
図１０に示されるように、前記コンタクトレンズ挟持体押圧片５２の基端部５２Ａは適宜手段を介して前記第１把持片１６又は第２把持片１８と接着されている。一方、コンタクトレンズ挟持体押圧片５２の先端部５２Ｂは前記第１把持片１６又は第２把持片１８と接着されないでフリーとなっている。従って、先端部５２Ｂは図１０矢印Ａ，矢印Ｂに移動可能になっている
また、コンタクトレンズ挟持体押圧片５２の中間部にはコンタクトレンズ挟持体３０の棒部３２が対応するコンタクトレンズ挟持体対応凹部５２Ｃが形成されている。
従って、前記コンタクトレンズ挟持体３０はコンタクトレンズ挟持体押圧片５２によって第１把持片１６又は第２把持片１８に押し付けられて第１把持片１６又は第２把持片１８に取り付けられると共にコンタクトレンズ挟持体３０の棒部３２がコンタクトレンズ挟持体対応凹部５２Ｃに入り込むので、勝手に移動するのを阻止されるようになっている。
前記コンタクトレンズ着脱具５０にコンタクトレンズ挟持体３０を取り付ける場合は、コンタクトレンズ挟持体押圧片５２の先端部５２Ｂを矢印Ｂ方向に持ち上げてコンタクトレンズ挟持体３０を前記第１把持片１６又は第２把持片１８とコンタクトレンズ挟持体押圧片５２の間に入れてコンタクトレンズ挟持体３０の棒部３２をコンタクトレンズ挟持体対応凹部５２Ｃに入れてから前記持ち上げを解除すると、コンタクトレンズ挟持体押圧片５２の先端部５２Ｂは矢印Ａ方向に弾性復帰するので簡単かつ迅速にコンタクトレンズ挟持体３０を第１把持片１６又は第２把持片１８に取り付けることができる。
なお、他の構成、作用、効果は第１実施例のコンタクトレンズ着脱具１０と同一であるので、その説明は省略する。
【００１２】
なお、実施例ではコンタクトレンズ挟持体３０を綿棒を利用したが前記コンタクトレンズ挟持体３０は別途に形成してもよいことは勿論である。
また、実施例ではコンタクトレンズ挟持体３０は綿棒を利用したのでコンタクトレンズ挟持部３４は脱脂綿で形成されているが、コンタクトレンズ挟持部３４はゴムや軟質合成樹脂材で形成してもよいことは勿論である。
なお、実施例では着脱具本体１２を金属で形成したが着脱具本体１２はプラスチック等他の材料で形成してもよいことは勿論である。
また、コンタクトレンズ挟持体固定具２４、コンタクトレンズ挟持体固定具４２、コンタクトレンズ挟持体押圧片５２の数は実施例に示された数に限定されるものでないことは勿論である。
【図面の簡単な説明】
【００１３】
【図１】第１実施例のコンタクトレンズ着脱具の使用状態を示す側面図である。
【図２】第１実施例のコンタクトレンズ着脱具の開いた状態の平面図である。
【図３】第１実施例のコンタクトレンズ着脱具の閉じた状態の平面図である。
【図４】第１実施例のコンタクトレンズ着脱具の全体斜視図である。
【図５】第１実施例のコンタクトレンズ着脱具をテーブルに置いた側面図である。
【図６】第２実施例のコンタクトレンズ着脱具の開いた状態の平面図である。
【図７】第２実施例のコンタクトレンズ着脱具の一部拡大縦断面図である。
【図８】第２実施例のコンタクトレンズ着脱具の変形例の一部拡大縦断面図である。
【図９】第３実施例のコンタクトレンズ着脱具の全体斜視図である。
【図１０】第３実施例のコンタクトレンズ着脱具の一部拡大斜視図である。
【符号の説明】
【００１４】
１０    コンタクトレンズ着脱具
１２    着脱具本体
１４    中央部
１６    第１把持片
１８    第２把持片
２０    第１把持片支持突起
２２    第２把持片支持突起
２４    コンタクトレンズ挟持体固定具
２６    スリット
３０    コンタクトレンズ挟持体
３２    棒部
３４    コンタクトレンズ挟持部
４０    コンタクトレンズ着脱具
４２    コンタクトレンズ挟持体固定具
５０    コンタクトレンズ着脱具
【図１】
2010032772.tif 000003
【図２】
2010032772.tif 000004
【図３】
2010032772.tif 000005
【図４】
2010032772.tif 000006
【図５】
2010032772.tif 000007
【図６】
2010032772.tif 000008
【図７】
2010032772.tif 000009
【図８】
2010032772.tif 000010
【図９】
2010032772.tif 000011
【図１０】
2010032772.tif 000012
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
第１把持片と第２把持片を対向させてＶ字状に形成された着脱具本体と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【請求項２】
第１把持片と第２把持片を対向させてＶ字状に形成された着脱具本体と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【請求項３】
第１把持片と第２把持片を対向させてＶ字状に形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【請求項４】
第１把持片と第２把持片を対向させてＶ字状に形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【手続補正２】
【補正対象書類名】明細書
【補正対象項目名】全文
【補正方法】変更
【補正の内容】
【発明の詳細な説明】
【技術分野】
【０００１】
本発明は、コンタクトレンズを目に着脱する時に使用されるコンタクトレンズ着脱具に関する。
【背景技術】
【０００２】
コンタクトレンズを目に着脱する場合は、二本の指先でコンタクトレンズを挟んで行っている。
ところで、近年女性の間でネールアートが大流行しており、長い付け爪をする人が増大している。
この場合、長い付け爪を付けた指でコンタクトレンズを挟むことは可能であるが、長い付け爪をした指でコンタクトレンズを挟んで目に着脱する場合、長い付け爪の先端が目に当たったり瞼等に当たったりして目や瞼等に傷を付けるおそれがある。
また、コンタクトレンズを吸着してコンタクトレンズを目に着脱することができるスポイト式のコンタクトレンズ着脱具が提案されている（特許文献１）。
従って、このタイプのコンタクトレンズ着脱具を使用すれば長い付け爪をしていてもコンタクトレンズ着脱時に付け爪の先端が目や瞼等に当たるおそれはない。
しかし、このタイプのコンタクトレンズ着脱具はコンタクトレンズの中央部をコンタクトレンズ着脱具の吸着部で吸着してコンタクトレンズを目に着脱するため鏡でコンタクトレンズの位置等を確認する場合に前記吸着部が目の瞳部と対応してしまい鏡でコンタクトレンズの位置を確認し難いという不具合が有る。
【特許文献１】特開２０００−２４５７６５
【発明の開示】
【発明が解決しようとする課題】
【０００３】
本発明は、上記事実に鑑みなされたものであり、長い付け爪をしていても安心してコンタクトレンズを着脱できると共にコンタクトレンズの着脱時に鏡でコンタクトレンズの位置を正確に確認することができるコンタクトレンズ着脱具を提供するものである。
【課題を解決するための手段】
【０００４】
請求項１の発明は、第１把持片と第２把持片を対向させてＶ字状に形成された着脱具本体と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
請求項２の発明は、第１把持片と第２把持片を対向させてＶ字状に形成された着脱具本体と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
請求項３の発明は、第１把持片と第２把持片を対向させてＶ字状に形成された着脱具本体と、前記第１把持片の先端部に形成された第１把持片支持突起と、前記第２把持片の先端部に形成された第２把持片支持突起と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
請求項４の発明は、第１把持片と第２把持片を対向させてＶ字状に形成された着脱具本体と、前記第１把持片の先端部に形成された第１把持片支持突起と、前記第２把持片の先端部に形成された第２把持片支持突起と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
【発明の効果】
【０００５】
本発明は、長い付け爪をしていても付け爪が目や瞼等に当たるおそれがないので安心してコンタクトレンズを目に着脱することができるという優れた効果を有する。
本発明は、コンタクトレンズの両側部を挟んで目にコンタクトレンズを着脱するので鏡でコンタクトレンズの位置を確認しながらコンタクトレンズを着脱することができるという優れた効果を有する。
【発明を実施するための最良の形態】
【０００６】
発明を実施するために最良の形態の例として以下のような実施例を示す。
【実施例１】
【０００７】
図１〜図５には本発明に係わるコンタクトレンズ着脱具の第１実施例が示されている。
図２〜図４に示されるように、本発明のコンタクトレンズ着脱具１０の着脱具本体１２は金属で形成され中央部１４で略Ｕ字状に折り曲げられている。これにより、前記着脱具本体１２には第１把持片１６と第２把持片１８が対向して形成され、着脱具本体１２は略Ｖ字状になっている（図２参照）。なお、前記第１把持片１６と第２把持片１８を指で把持すると第１把持片１６の先端１６Ａと第２把持片１８の先端１８Ａは互いに接近するように形成されている（図３参照）。
図４及び図５に示されるように、前記第１把持片１６の先端部には第１把持片支持突起２０，２０が一体形成されている。また、この第２把持片１８の先端部にも第２把持片支持突起２２，２２が一体形成されている。
図２〜図４に示されるように、前記第１把持片１６の内側面と第２把持片１８の内側面には綿棒取付体２４が２個づつ取り付けられている。これら綿棒取付体２４は弾性を有する合成樹脂材で円筒状に形成されている。また、綿棒取付体２４の側面にはスリット２６が形成されている。
前記第１把持片１６の綿棒取付体２４，２４と第２把持片１８の綿棒取付体２４，２４には第１把持片１６と第２把持片１８の長手方向に沿って綿棒３０が着脱可能に１本づつ取り付けられている。この綿棒３０の棒部３２は綿棒取付体２４のスリット２６を介して円筒状の綿棒取付体２４に着脱されるようになっている。
この綿棒３０の棒部３２の外径寸法は前記綿棒取付体２４の内径寸法より僅かに小さく設定され、棒部３２はフィットして前記綿棒取付体２４に嵌められるようになっている。
前記棒部３２の両端には脱脂綿を巻いて形成されたコンタクトレンズ挟持部３４が設けられている。
従って、図１に示されるように、コンタクトレンズ１の両側部を前記コンタクトレンズ挟持部３４とコンタクトレンズ挟持部３４で直接挟むことができるようにようになっている。
【０００８】
次に、第１実施例のコンタクトレンズ着脱具１０の作用について説明する。
実施例のコンタクトレンズ着脱具１０を使用してコンタクトレンズ１を目に装着する場合は、コンタクトレンズ着脱具１０を斜めにして第１把持片１６と第２把持片１８を把持してコンタクトレンズ挟持部３４とコンタクトレンズ挟持部３４でコンタクトレンズ１を両側から挟む（図１参照）。
そして、コンタクトレンズ１を挟んだ状態でコンタクトレンズ１を目に接近させてコンタクトレンズ１を目に装着する。
従って、コンタクトレンズ１を装着する場合はコンタクトレンズ着脱具１０を斜めにしてコンタクトレンズ１の両側部を挟むので目の瞳部は第１把持片１６と第２把持片１８の間に位置するためコンタクトレンズ着脱具１０と対応しない。従って、コンタクトレンズ１を目に装着する場合にコンタクトレンズ着脱具１０に邪魔されること無く鏡でコンタクトレンズ１の位置を正確に確認しながらコンタクトレンズ１を目に装着することができる。
目に装着されているコンタクトレンズ１を取り外す場合もコンタクトレンズ着脱具１０を斜めにした状態でコンタクトレンズ１の両側部を挟むと目の瞳部とコンタクトレンズ着脱具１０は対応しない。従って、コンタクトレンズ１を目から取り外す場合もコンタクトレンズ着脱具１０に邪魔されること無く鏡でコンタクトレンズ１の位置を正確に確認しながらコンタクトレンズ１を目から取り外すことができる。
また、コンタクトレンズ１を装着する者が長い付け爪をしていてもコンタクトレンズ１の着脱は長い付け爪よりも先に目に接近するコンタクトレンズ着脱具１０で行うため付け爪が目や瞼等に当たるおそれは無いので安心してコンタクトレンズ１を着脱することができる。
なお、コンタクトレンズ着脱具１０の第１把持片１６には第１把持片支持突起２０，２０が一体形成され、第２把持片１８には第２把持片支持突起２２，２２が一体形成されている。このため、図５に示されるように、コンタクトレンズ着脱具１０をテーブル２等に置く場合に綿棒３０のコンタクトレンズ挟持部３４はテーブル２等に当接しないので衛生的である。
また、実施例のように綿棒３０を市販の綿棒で利用すれば前記綿棒３０は別途に形成しなくてもよいので便利である。
なお、コンタクトレンズ１を着脱する専用の道具である前記コンタクトレンズ着脱具１０を使用してコンタクトレンズ１を着脱することは指でコンタクトレンズ１を挟んで行うよりも衛生的であるので付け爪をしていない者にとっても有益である。
【０００９】
図６及び図７には第２実施例のコンタクトレンズ着脱具が示されている。なお、第１実施例のコンタクトレンズ着脱具１０と同一の構成は同一の符号を用いてその説明を省略する。
第２実施例のコンタクトレンズ着脱具４０は綿棒取付体４２の形状が第１実施例のコンタクトレンズ着脱具１０の綿棒取付体２４と相違している点だけが第１実施例のコンタクトレンズ着脱具１０と相違している。
図６に示されるように、コンタクトレンズ着脱具４０の第１把持片１６の内側面と第２把持片１８の内側面には綿棒取付体４２が取り付けられている。
図７に示されるように、この綿棒取付体４２の第１固定片４４と第２固定片４６を備え縦断面略Ｖ字状に形成されている。この第１固定片４４の内側面には挟持突起４４Ａが鋸刃状に形成され、第２固定片４６の内側面にも挟持突起４６Ａが鋸刃状に形成されている。
従って、前記綿棒取付体４２で綿棒３０の棒部３２を挟むと鋸刃状の挟持突起４４Ａと挟持突起４６Ａによって綿棒３０の棒部３２は確実に挟まれるので綿棒３０が不用意に前後方向にスライドしたりすることを確実に防止することができる。
なお、他の構成及び作用、効果は第１実施例のコンタクトレンズ着脱具１０と同一であるので、その説明は省略する。
【００１０】
図８には第２実施例のコンタクトレンズ着脱具４０の変形例が示されている。この変形例では前記コンタクトレンズ着脱具４０の綿棒取付体４２の縦断面が略ハ字状になるように形成されている。
【００１１】
図９及び図１０には第３実施例のコンタクトレンズ着脱具が示されている。なお、第１実施例のコンタクトレンズ着脱具１０と同一の構成は同一の符号を用いてその説明を省略する。
図９に示されるように、第３実施例のコンタクトレンズ着脱具５０の第１把持片１６の外側面と第２把持片１８の外側面には綿棒取付体５２が２個づつ取り付けられている。これら綿棒取付体５２は弾性を有する合成樹脂材や金属で平面視矩形状に形成されている。
図１０に示されるように、前記綿棒取付体５２の基端部５２Ａは適宜手段を介して前記第１把持片１６又は第２把持片１８と接着されている。一方、綿棒取付体５２の先端部５２Ｂは前記第１把持片１６又は第２把持片１８と接着されないでフリーとなっている。従って、先端部５２Ｂは図１０矢印Ａ，矢印Ｂに移動可能になっている
また、綿棒取付体５２の中間部には綿棒３０の棒部３２が対応する綿棒対応凹部５２Ｃが形成されている。
従って、前記綿棒３０は綿棒取付体５２によって第１把持片１６又は第２把持片１８に押し付けられて第１把持片１６又は第２把持片１８に取り付けられると共に綿棒３０の棒部３２が綿棒対応凹部５２Ｃに入り込むので、勝手に移動するのを阻止されるようになっている。
前記コンタクトレンズ着脱具５０に綿棒３０を取り付ける場合は、綿棒取付体５２の先端部５２Ｂを矢印Ｂ方向に持ち上げて綿棒３０を前記第１把持片１６又は第２把持片１８と綿棒取付体５２の間に入れて綿棒３０の棒部３２を綿棒対応凹部５２Ｃに入れてから前記持ち上げを解除すると、綿棒取付体５２の先端部５２Ｂは矢印Ａ方向に弾性復帰するので簡単かつ迅速に綿棒３０を第１把持片１６又は第２把持片１８に取り付けることができる。
なお、他の構成、作用、効果は第１実施例のコンタクトレンズ着脱具１０と同一であるので、その説明は省略する。
【００１２】
なお、実施例では綿棒３０は市販の綿棒を利用したが前記綿棒３０は別途に形成してもよいことは勿論である。
また、実施例では着脱具本体１２を金属で形成したが着脱具本体１２はプラスチック等他の材料で形成してもよいことは勿論である。
なお、綿棒取付体２４、綿棒取付体４２、綿棒取付体５２の数は実施例に示された数に限定されるものでないことは勿論である。
【図面の簡単な説明】
【００１３】
【図１】第１実施例のコンタクトレンズ着脱具の使用状態を示す側面図である。
【図２】第１実施例のコンタクトレンズ着脱具の開いた状態の平面図である。
【図３】第１実施例のコンタクトレンズ着脱具の閉じた状態の平面図である。
【図４】第１実施例のコンタクトレンズ着脱具の全体斜視図である。
【図５】第１実施例のコンタクトレンズ着脱具をテーブルに置いた側面図である。
【図６】第２実施例のコンタクトレンズ着脱具の開いた状態の平面図である。
【図７】第２実施例のコンタクトレンズ着脱具の一部拡大縦断面図である。
【図８】第２実施例のコンタクトレンズ着脱具の変形例の一部拡大縦断面図である。
【図９】第３実施例のコンタクトレンズ着脱具の全体斜視図である。
【図１０】第３実施例のコンタクトレンズ着脱具の一部拡大斜視図である。
【符号の説明】
【００１４】
１０    コンタクトレンズ着脱具
１２    着脱具本体
１４    中央部
１６    第１把持片
１８    第２把持片
２０    第１把持片支持突起
２２    第２把持片支持突起
２４    綿棒取付体
２６    スリット
３０    綿棒
３２    棒部
３４    コンタクトレンズ挟持部
４０    コンタクトレンズ着脱具
４２    綿棒取付体
５０    コンタクトレンズ着脱具
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
第１把持片と第２把持片を対向させてＶ字状に形成された着脱具本体と、前記第１把持片の先端部の両側にそれぞれ突設形成された第１把持片支持突起と、前記第２把持片の先端部の両側にそれぞれ突設形成された第２把持片支持突起と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【請求項２】
第１把持片と第２把持片を対向させてＶ字状に形成された着脱具本体と、前記第１把持片の先端部の両側にそれぞれ突設形成された第１把持片支持突起と、前記第２把持片の先端部の両側にそれぞれ突設形成された第２把持片支持突起と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴とするコンタクトレンズ着脱具。
【手続補正２】
【補正対象書類名】明細書
【補正対象項目名】０００４
【補正方法】変更
【補正の内容】
【０００４】
請求項１の発明は、第１把持片と第２把持片を対向させてＶ字状に形成された着脱具本体と、前記第１把持片の先端部の両側にそれぞれ突設形成された第１把持片支持突起と、前記第２把持片の先端部の両側にそれぞれ突設形成された第２把持片支持突起と、前記第１把持片の内側面と前記第２把持片の内側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
請求項２の発明は、第１把持片と第２把持片を対向させてＶ字状に形成された着脱具本体と、前記第１把持片の先端部の両側にそれぞれ突設形成された第１把持片支持突起と、前記第２把持片の先端部の両側にそれぞれ突設形成された第２把持片支持突起と、前記第１把持片の外側面と前記第２把持片の外側面にそれぞれ固定された綿棒取付体と、前記第１把持片の綿棒取付体と前記第２把持片の綿棒取付体にそれぞれ着脱可能に取り付けられると共に第１把持片と第２把持片の長手方向に沿って取り付けられた綿棒と、これら綿棒の少なくとも一端に綿で形成されると共にコンタクトレンズの着脱時にコンタクトレンズを両側から挟持してコンタクトレンズを着脱するコンタクトレンズ挟持部と、を有してなることを特徴としている。
【手続補正３】
【補正対象書類名】明細書
【補正対象項目名】０００７
【補正方法】変更
【補正の内容】
【０００７】
図１〜図５には本発明に係わるコンタクトレンズ着脱具の第１実施例が示されている。
図２〜図４に示されるように、本発明のコンタクトレンズ着脱具１０の着脱具本体１２は金属で形成され中央部１４で略Ｕ字状に折り曲げられている。これにより、前記着脱具本体１２には第１把持片１６と第２把持片１８が対向して形成され、着脱具本体１２は略Ｖ字状になっている（図２参照）。なお、前記第１把持片１６と第２把持片１８を指で把持すると第１把持片１６の先端１６Ａと第２把持片１８の先端１８Ａは互いに接近するように形成されている（図３参照）。
図４及び図５に示されるように、前記第１把持片１６の先端部の両側には第１把持片支持突起２０，２０がそれぞれ突設して一体形成されている。また、この第２把持片１８の先端部の両側にも第２把持片支持突起２２，２２がそれぞれ突設して一体形成されている。
図２〜図４に示されるように、前記第１把持片１６の内側面と第２把持片１８の内側面には綿棒取付体２４が２個づつ取り付けられている。これら綿棒取付体２４は弾性を有する合成樹脂材で円筒状に形成されている。また、綿棒取付体２４の側面にはスリット２６が形成されている。
前記第１把持片１６の綿棒取付体２４，２４と第２把持片１８の綿棒取付体２４，２４にはそれぞれ綿棒３０が着脱可能に１本づつ取り付けられている。この綿棒３０の棒部３２は綿棒取付体２４のスリット２６を介して円筒状の綿棒取付体２４に着脱されるようになっている。
この綿棒３０の棒部３２の外径寸法は前記綿棒取付体２４の内径寸法より僅かに小さく設定され、棒部３２はフィットして前記綿棒取付体２４に嵌められるようになっている。
前記棒部３２の両端には脱脂綿を巻いて形成されたコンタクトレンズ挟持部３４が設けられている。
従って、図１に示されるように、コンタクトレンズ１の両側部を前記コンタクトレンズ挟持部３４とコンタクトレンズ挟持部３４で直接挟むことができるようにようになっている。